(57)【特許請求の範囲】
【請求項１】
帯状の導電性ばね板をＬ字状に折曲してその一片を折曲片として形成し、この折曲片に一対の鎖錠片を前記折曲片の幅方向中心位置から等間隔となるように隙間をあけて並べて前記導電性ばね板側に切起こして形成し、鎖錠部を前記鎖錠片の先端縁に電線抱持用屈曲部により形成し、かつ前記鎖錠部を、前記鎖錠片の幅方向中心位置から互いに離間するとともに、前記折曲片の前記中心位置から等間隔の位置となるように配置し、前記導電性ばね板を位置決め収納する収納部を有するケースに前記鎖錠片の切り起しにより形成された切り抜き開口に連通する電線挿入孔を形成し、前記電線挿入孔は前記電線抱持用屈曲部と整合するように位置させたことを特徴とする速結端子。
【請求項２】
前記導電性ばね板の前記折曲片を設けた前記一端と反対側に前記鎖錠片への電線挿入方向と交差する電線を鎖錠する速結部を有する請求項１記載の速結端子。
【発明の詳細な説明】
【０００１】
【発明の属する技術分野】
この発明は、例えば照明器具の電源端子台等に適用される速結端子に関するものである。
【０００２】
【従来の技術】
従来例を図６から図９に示す。すなわち、この速結端子は、帯状の導電性ばね板５０の一端をＬ字状に折曲して折曲片５１を形成し、この折曲片５１に一対の鎖錠片５２を導電性ばね板５０側に切起こし、鎖錠片５２の先端に鎖錠部５３を設けている。鎖錠部５３は、図９に示すように鎖錠片５２の幅方向の中心位置に設けている。さらに導電性ばね板５０を位置決め収納する収納部５４を有し、鎖錠片５２の切起こしにより形成された折曲片５１の穴５５に整合する電線挿入孔５６を形成した端子台等のケース５７を有する。５８は速結するための電線であり、その１本は送り線用である。
【０００３】
【発明が解決しようとする課題】
しかし、この速結端子には電線５８が２本平行に接続されるが、２本間の距離が狭すぎると２本目の電線５８が入れにくいという欠点がある。
【０００４】
また電線５８を挿入しやすい間隔に広げるとケース５７が大きくなるか、または図９（ａ）と（ｂ）の比較のように、端子全体の幅Ａ、Ａ′をＡ＝Ａ′とし、鎖錠部５３間の間隔Ｅ、Ｅ′をＥ＜Ｅ′としたい場合、鎖錠片５２の幅Ｂ、Ｂ′、Ｃ、Ｃ′をＢ＞Ｂ′、Ｃ＞Ｃ′とする必要があり、鎖錠片５２の間隔Ｄ、Ｄ′がＤ＜Ｄ′となるが、鎖錠片５２の幅を狭くして鎖錠片５２の間隔を広げると、電線保持力の低下の原因となるという欠点があった。
【０００５】
したがって、この発明の目的は、大形化することなく、また鎖錠片の幅を狭くすることなく、電線を挿入しやすい間隔にすることができる速結端子を提供することである。
【０００６】
【課題を解決するための手段】
請求項１記載の速結端子は、帯状の導電性ばね板をＬ字状に折曲してその一片を折曲片として形成し、この折曲片に一対の鎖錠片を前記折曲片の幅方向中心位置から等間隔となるように隙間をあけて並べて前記導電性ばね板側に切起こして形成し、鎖錠部を前記鎖錠片の先端縁に電線抱持用屈曲部により形成し、かつ前記鎖錠部を、前記鎖錠片の幅方向中心位置から互いに離間するとともに、前記折曲片の前記中心位置から等間隔の位置となるように配置し、前記導電性ばね板を位置決め収納する収納部を有するケースに前記鎖錠片の切り起しにより形成された切り抜き開口に連通する電線挿入孔を形成し、前記電線挿入孔は前記電線抱持用屈曲部と整合するように位置させたことを特徴とする。
【０００７】
請求項１記載の速結端子によれば、鎖錠片の先端の鎖錠部を鎖錠片の幅方向中心より外側へ配置させてやることにより速結端子全体の幅を変化させることなく、２本の電線の挿入ピッチを大きくすることができる。このため従来例に比べて電線挿入ピッチを同じにするときは速結端子全体の小型化を図ることができ、小型化により材料費の削減が図れる。また同一スペース内においても電線挿入ピッチが大きく取れるので、電線速結の際の作業性の向上を図ることができる。また鎖錠片の幅も十分確保できるので、電線への接触圧が十分に確保され、安定して電気接続が得られる。
【００１４】
請求項２記載の速結端子は、請求項１において、前記導電性ばね板の前記折曲片を設けた前記一端と反対側に前記鎖錠片への電線挿入方向と交差する電線を鎖錠する速結部を有するものである。
【００１５】
請求項２記載の速結端子によれば、請求項１と同様な効果がある。
【００１６】
【発明の実施の形態】
この発明の一実施の形態を図１から図５により説明する。すなわち、この速結端子は、平行に挿入される一対の電線１に鎖錠する鎖錠部２を先端に形成した一対の鎖錠片３を有する速結端子において、鎖錠部２を鎖錠片３の幅方向中心位置Ｌよりも互いに離間する側に配置している。
【００１７】
すなわち、図１（ａ）に示すように、従来例を示す図１（ｂ）と比較した場合、速結端子全体の幅Ａ、Ａ″をＡ＝Ａ″とし、鎖錠片３間の間隔Ｄ、Ｄ″をＤ＝Ｄ″とし、鎖錠片３の幅Ｂ＝Ｂ″、Ｃ＝Ｃ″として、鎖錠部２間の間隔Ｅ、Ｅ″をＥ＜Ｅ″としている。
【００１８】
具体的には図２に示すように、帯状の導電性ばね板４の一端をＬ字状に折曲して折曲片５を形成し、この折曲片５より導電性ばね板４側に一対の鎖錠片３を切起こし、鎖錠片３の先端に鎖錠部２を設けている。この場合、鎖錠片３はそれぞれ独立に切起こし、その鎖錠部２は、鎖錠片３の先端縁を電線抱持用屈曲部により形成してなり、鎖錠部２を鎖錠片３の幅方向中心位置Ｌよりも互いに離間する側に配置している。
【００１９】
また図３および図４に示すように、導電性ばね板４を位置決め収納する収納部６を有し、鎖錠片３の切起こしにより形成された折曲片５の切り抜き用開口７に整合する電線挿入孔８を形成した端子台用のケース９を設け、導電性ばね板４を収納部６に収納している。
【００２０】
さらに図５に示すように、導電性ばね板４の折曲片を有する一端と反対側に鎖錠片３への電線挿入方向と交差する電線１を鎖錠する速結部１０を有する。この速結部１０は導電性ばね板４の側部に立片１１を立設し、立片１１の両側に電線受け部１２を略半円筒状に折曲し、立片１１の先端部より延長した鎖錠片１３の先端の鎖錠部を電線受け部１２に臨ませている。また立片１１の内側に電線を押圧する接触片１４を設けている。１５は鎖錠片１３に設けた解錠片である。
【００２１】
またケース９は樹脂製のボディ１６とカバー１７からなり、ボディ１６は２本の速結端子を並設する収納部６および例えば速結端子で形成したアース端子を収納する収納部６ａを設け、速結端子の鎖錠片３に対応する電線挿入孔８を形成する。またボディ１６の爪２０にカバー１７の取付孔２１を係止して取付けるカバー１７に鎖錠片１３に対応する電線挿入孔２２およびアース線用挿入孔２２ａを設けている。１９は電線挿入孔８に整合する孔、２５は取付爪である。このようにして一対の速結端子に電源線、送り線および器具側電源線を接続することができる。
【００２２】
この実施の形態によれば、鎖錠片３の先端の鎖錠部２を鎖錠片３の幅方向中心より外側へ配置させてやることにより速結端子全体の幅を変化させることなく、２本の電線の挿入ピッチを大きくすることができる。このため従来例に比べて電線挿入ピッチを同じにするときは速結端子全体の小型化を図ることができ、小型化により材料費の削減が図れる。また同一スペース内においても電線挿入ピッチが大きく取れるので、電線速結の際の作業性の向上を図ることができる。また鎖錠片３の幅も十分確保できるので、電線１への接触圧が十分に確保され、安定して電気接続が得られる。
【００２３】
また一対の鎖錠片３を折曲片５に互いに独立に切起こすと、一の鎖錠片３が他の鎖錠片３と干渉することがなく、挿入時の荷重も安定し、電線保持性能もよく、金型も作りやすい。
【００２４】
【発明の効果】
請求項１記載の速結端子によれば、鎖錠片の先端の鎖錠部を鎖錠片の幅方向中心より外側へ配置させてやることにより速結端子全体の幅を変化させることなく、２本の電線の挿入ピッチを大きくすることができる。このため従来例に比べて電線挿入ピッチを同じにするときは速結端子全体の小型化を図ることができ、小型化により材料費の削減が図れる。また同一スペース内においても電線挿入ピッチが大きく取れるので、電線速結の際の作業性の向上を図ることができる。また鎖錠片の幅も十分確保できるので、電線への接触圧が十分に確保され、安定して電気接続が得られる。
【００２８】
請求項２記載の速結端子によれば、請求項１と同様な効果がある。
【図面の簡単な説明】
【図１】この発明の一実施の形態の図２のロ矢視図であり、（ａ）が実施の形態、（ｂ）が従来例である。
【図２】速結端子の要部斜視図である。
【図３】ケースに収納した状態の部分断面図である。
【図４】その概略横断面図である。
【図５】全体の分解斜視図である。
【図６】従来例の要部斜視図である。
【図７】従来例の部分断面図である。
【図８】その概略横断面図である。
【図９】図６のイ矢視図であり、（ａ）、（ｂ）は鎖錠片の位置が異なる例である。
【符号の説明】
１    電線
２    鎖錠部
３    鎖錠片
４    導電性ばね板
５    折曲片
６    収納部
７    切り抜き開口
８    電線挿入孔
９    ケース
１０    速結部
【図１】
0004557339.tif 000002
【図２】
0004557339.tif 000003
【図３】
0004557339.tif 000004
【図４】
0004557339.tif 000005
【図５】
0004557339.tif 000006
【図６】
0004557339.tif 000007
【図７】
0004557339.tif 000008
【図８】
0004557339.tif 000009
【図９】
0004557339.tif 000010